【手続補正書】
【提出日】平成19年6月18日(2007.6.18)
【手続補正１】
【補正対象書類名】特許請求の範囲
【補正対象項目名】全文
【補正方法】変更
【補正の内容】
【特許請求の範囲】
【請求項１】
火災の消火方法であって、モノブロモペルフルオロケトン、モノヒドロモノブロモペルフルオロケトン、（ペルフルオロアルコキシ）モノブロモペルフルオロケトン、（フルオロアルコキシ）モノブロモペルフルオロケトン、およびモノクロロモノブロモペルフルオロケトンからなる群から選択される少なくとも１種類の化合物を、前記火災を消火するのに十分な量で含む組成物を前記火災に適用することを含むことを特徴とする火災の消火方法。
【請求項２】
可燃材料の入った、空気を含有する密閉された区域中の火災防止方法であって、モノブロモペルフルオロケトン、モノヒドロモノブロモペルフルオロケトン、（ペルフルオロアルコキシ）モノブロモペルフルオロケトン、（フルオロアルコキシ）モノブロモペルフルオロケトン、およびモノクロロモノブロモペルフルオロケトンからなる群から選択される少なくとも１種類の化合物を含む組成物を前記区域に導入する工程と、前記組成物をこの密閉された区域中の可燃材料の燃焼を鎮圧するのに十分な量に保つ工程とを含むことを特徴とする方法。
【請求項３】
可燃性動作流体の引火性を低減または排除する方法であって、
ａ）モノブロモペルフルオロケトン、モノヒドロモノブロモペルフルオロケトン、（ペルフルオロアルコキシ）モノブロモペルフルオロケトン、（フルオロアルコキシ）モノブロモペルフルオロケトン、およびモノクロロモノブロモペルフルオロケトンからなる群から選択される少なくとも１種類の化合物を含む添加剤を提供する工程、および
ｂ）約０．１から約９９重量％の間の前記添加剤を前記可燃性動作流体と混合する工程を含むことを特徴とする方法。
【手続補正２】
【補正対象書類名】明細書
【補正対象項目名】００７５
【補正方法】変更
【補正の内容】
【００７５】
【表１】
2007515989.tif 000001
本発明は以下の実施の態様を含むものである。
１．  火災の消火方法であって、モノブロモペルフルオロケトン、モノヒドロモノブロモペルフルオロケトン、（ペルフルオロアルコキシ）モノブロモペルフルオロケトン、（フルオロアルコキシ）モノブロモペルフルオロケトン、およびモノクロロモノブロモペルフルオロケトンからなる群から選択される少なくとも１種類の化合物を、前記火災を消火するのに十分な量で含む組成物を前記火災に適用することを含むことを特徴とする火災の消火方法。
２．  前記組成物がモノブロモペルフルオロケトンを含むことを特徴とする前記１に記載の方法。
３．  前記組成物がモノヒドロモノブロモペルフルオロケトンを含むことを特徴とする前記１に記載の方法。
４．  前記組成物が（ペルフルオロアルコキシ）モノブロモペルフルオロケトンを含むことを特徴とする前記１に記載の方法。
５．  前記組成物が（フルオロアルコキシ）モノブロモペルフルオロケトンを含むことを特徴とする前記１に記載の方法。
６．  前記組成物がモノクロロモノブロモペルフルオロケトンを含むことを特徴とする前記１に記載の方法。
７．  前記組成物が、ヒドロフルオロカーボン、ヒドロクロロフルオロカーボン、ペルフルオロカーボン、ペルフルオロケトン、ペルフルオロポリエーテル、ヒドロフルオロポリエーテル、ヒドロフルオロエーテル、クロロフルオロカーボン、ブロモフルオロカーボン、ブロモクロロフルオロカーボン、ヒドロブロモカーボン、ヨードフルオロカーボン、およびヒドロブロモフルオロカーボンからなる群から選択される少なくとも１種類の共同消火剤をさらに含むことを特徴とする前記１に記載の方法。
８．  前記モノブロモペルフルオロケトンが、ＣＦ３Ｃ（Ｏ）ＣＢｒＦＣＦ２ＣＦ３、ＣＦ３Ｃ（Ｏ）ＣＦ２ＣＦ２ＣＢｒＦ２、ＣＢｒＦ２Ｃ（Ｏ）ＣＦ（ＣＦ３）２、ＣＦ３Ｃ（Ｏ）ＣＢｒ（ＣＦ３）２、ＣＢｒＦ２ＣＦ２Ｃ（Ｏ）ＣＦ２ＣＦ３、ＣＦ３ＣＢｒＦＣ（Ｏ）ＣＦ２ＣＦ３、ＣＦ３ＣＢｒＦＣ（Ｏ）ＣＦ２ＣＦ２ＣＦ３、ＣＦ３ＣＦ２Ｃ（Ｏ）ＣＢｒＦＣＦ２ＣＦ３、ＣＦ３ＣＦ２Ｃ（Ｏ）ＣＦ２ＣＦ２ＣＢｒＦ２、ＣＦ３Ｃ（Ｏ）ＣＢｒ（ＣＦ３）ＣＦ２ＣＦ３、ＣＦ３Ｃ（Ｏ）ＣＦ（ＣＦ３）ＣＢｒＦＣＦ３、ＣＦ３Ｃ（Ｏ）ＣＢｒＦＣＦ２ＣＦ２ＣＦ２ＣＦ３、ＣＦ３Ｃ（Ｏ）ＣＦ２ＣＦ２ＣＦ２ＣＦ２ＣＢｒＦ２、ＣＦ３ＣＢｒＦＣ（Ｏ）ＣＦ２ＣＦ２ＣＦ２ＣＦ３、ＣＦ３ＣＦ２Ｃ（Ｏ）ＣＢｒＦＣＦ２ＣＦ２ＣＦ３、ＣＦ３ＣＦ２Ｃ（Ｏ）ＣＦ２ＣＦ２ＣＦ２ＣＢｒＦ２、ＣＦ３ＣＦ２ＣＢｒＦＣ（Ｏ）ＣＦ２ＣＦ２ＣＦ３、ＣＢｒＦ２ＣＦ２Ｃ（Ｏ）ＣＦ（ＣＦ３）ＣＦ２ＣＦ３、ＣＦ３ＣＢｒＦＣ（Ｏ）ＣＦ（ＣＦ３）ＣＦ２ＣＦ３、ＣＦ３ＣＦ２Ｃ（Ｏ）ＣＢｒ（ＣＦ３）ＣＦ２ＣＦ３、ＣＦ３ＣＦ２Ｃ（Ｏ）ＣＦ（ＣＢｒＦ２）ＣＦ２ＣＦ３、ＣＢｒＦ２ＣＦ２ＣＦ２Ｃ（Ｏ）ＣＦ（ＣＦ３）２、ＣＦ３ＣＦ２ＣＢｒＦＣ（Ｏ）ＣＦ（ＣＦ３）２、ＣＦ３ＣＦ２ＣＦ２Ｃ（Ｏ）ＣＢｒ（ＣＦ３）２、（ＣＦ３）２ＣＢｒＣ（Ｏ）ＣＦ（ＣＦ３）２、ＣＦ３ＣＢｒＦＣ（Ｏ）ＣＦ（ＣＦ３）ＯＣＦ３、ＣＦ３ＣＢｒＦＣ（Ｏ）ＣＦ（ＣＦ３）ＯＣ２Ｆ５、およびＣＦ３ＣＢｒＦＣＦ２Ｃ（Ｏ）ＣＦ（ＣＦ３）２からなる群から選択されることを特徴とする前記２に記載の方法。
９．  前記モノヒドロモノブロモペルフルオロケトンが、ＣＨＦ２ＣＦ２Ｃ（Ｏ）ＣＢｒ（ＣＦ３）２、（ＣＦ３）２ＣＨＣ（Ｏ）ＣＢｒ（ＣＦ３）２、ＣＨＦ２ＣＦ２Ｃ（Ｏ）ＣＢｒＦＣＦ３、（ＣＦ３）２ＣＨＣ（Ｏ）ＣＢｒＦＣＦ３、（ＣＦ３）２ＣＨＣ（Ｏ）ＣＢｒＦ２、およびＣＢｒＦ２ＣＦ２Ｃ（Ｏ）ＣＨ（ＣＦ３）２からなる群から選択されることを特徴とする前記３に記載の方法。
１０．  前記（ペルフルオロアルコキシ）モノブロモペルフルオロケトンが式Ｒ１Ｃ（Ｏ）ＣＦ（ＣＦ３）ＯＲＦ（式中、Ｒ１がＣ１〜Ｃ３のモノブロモペルフルオロアルキル基であり、ＲＦがＣ１〜Ｃ３のペルフルオロアルキル基である）を有する化合物から選択されることを特徴とする前記４に記載の方法。
１１．  前記（ペルフルオロアルコキシ）モノブロモペルフルオロケトンが、ＣＢｒＦ２Ｃ（Ｏ）ＣＦ（ＣＦ３）ＯＣＦ３、ＣＢｒＦ２ＣＦ２Ｃ（Ｏ）ＣＦ（ＣＦ３）ＯＣＦ３、ＣＢｒＦ２ＣＦ２ＣＦ２Ｃ（Ｏ）ＣＦ（ＣＦ３）ＯＣＦ３、ＣＢｒＦ２Ｃ（Ｏ）ＣＦ（ＣＦ３）ＯＣ２Ｆ５、ＣＢｒＦ２ＣＦ２Ｃ（Ｏ）ＣＦ（ＣＦ３）ＯＣ２Ｆ５、ＣＢｒＦ２Ｃ（Ｏ）ＣＦ（ＣＦ３）ＯＣＦ２Ｃ２Ｆ５、ＣＢｒＦ２ＣＦ２Ｃ（Ｏ）ＣＦ（ＣＦ３）ＯＣＦ２Ｃ２Ｆ５、ＣＢｒＦ２Ｃ（Ｏ）ＣＦ（ＣＦ３）ＯＣＦ（ＣＦ３）２、ＣＢｒＦ２ＣＦ２Ｃ（Ｏ）ＣＦ（ＣＦ３）ＯＣＦ（ＣＦ３）２、ＣＦ３ＣＢｒＦＣ（Ｏ）ＣＦ（ＣＦ３）ＯＣＦ（ＣＦ３）２、ＣＦ３ＣＢｒＦＣ（Ｏ）ＣＦ（ＣＦ３）ＯＣＦ３、（ＣＦ３）２ＣＢｒＣ（Ｏ）ＣＦ（ＣＦ３）ＯＣＦ３、ＣＦ３ＣＢｒＦＣ（Ｏ）ＣＦ（ＣＦ３）ＯＣ２Ｆ５、（ＣＦ３）２ＣＢｒＣ（Ｏ）ＣＦ（ＣＦ３）ＯＣ２Ｆ５、ＣＦ３ＣＢｒＦＣ（Ｏ）ＣＦ（ＣＦ３）ＯＣＦ２Ｃ２Ｆ５、およびＣＦ３ＣＢｒＦＣ（Ｏ）ＣＦ（ＣＦ３）ＯＣＦ（ＣＦ３）２からなる群から選択されることを特徴とする前記１０に記載の方法。
１２．  前記（フルオロアルコキシ）モノブロモペルフルオロケトンが式Ｒ１Ｃ（Ｏ）ＣＸ（ＣＦ３）ＯＲ２（式中、ＸがＨまたはＦであり、Ｒ１がＣ１、Ｃ２、またはＣ３ブロモペルフルオロアルキル基であり、Ｒ２がＣ１〜Ｃ３のアルキルまたはフルオロアルキル基である）を有する化合物から選択されることを特徴とする前記１に記載の方法。
１３．  前記（フルオロアルコキシ）モノブロモペルフルオロケトンが、ＣＢｒＦ２Ｃ（Ｏ）ＣＦ（ＯＣＦ２ＣＨＦ２）ＣＦ３、ＣＢｒＦ２Ｃ（Ｏ）ＣＨ（ＯＣＦ２ＣＨＦ２）ＣＦ３、ＣＢｒＦ２Ｃ（Ｏ）ＣＦ（ＯＣＨ３）ＣＦ３、およびＣＢｒＦ２Ｃ（Ｏ）ＣＦ（ＣＦ２ＯＣＨ３）ＣＦ３からなる群から選択されることを特徴とする前記１２に記載の方法。
１４．  前記モノクロロモノブロモペルフルオロケトンが、ＣＣｌＦ２ＣＦＢｒＣ（Ｏ）ＣＦ２ＣＦ３、ＣＢｒＦ２ＣＦＣｌＣ（Ｏ）ＣＦ２ＣＦ３、ＣＣｌＦ２ＣＦＢｒＣ（Ｏ）ＣＦ（ＣＦ３）２、ＣＢｒＦ２ＣＦＣｌＣ（Ｏ）ＣＦ（ＣＦ３）２、ＣＣｌＦ２ＣＦＢｒＣ（Ｏ）ＣＦ（ＣＦ３）（Ｃ２Ｆ５）、ＣＢｒＦ２ＣＦＣｌＣ（Ｏ）ＣＦ（ＣＦ３）（Ｃ２Ｆ５）、ＣＣｌＦ２Ｃ（Ｏ）ＣＢｒ（ＣＦ３）２、ＣＣｌＦ２ＣＦ２Ｃ（Ｏ）ＣＢｒ（ＣＦ３）２、ＣＦ３ＣＣｌＦＣ（Ｏ）ＣＢｒ（ＣＦ３）２、ＣＣｌＦ２Ｃ（Ｏ）ＣＢｒＦＣＦ３、ＣＣｌＦ２ＣＦ２Ｃ（Ｏ）ＣＢｒＦＣＦ３、ＣＦ３ＣＣｌＦＣ（Ｏ）ＣＢｒＦＣＦ３、ＣＢｒＦ２Ｃ（Ｏ）ＣＣｌ（ＣＦ３）２、ＣＢｒＦ２ＣＦ２Ｃ（Ｏ）ＣＣｌ（ＣＦ３）２、ＣＢｒＦ２Ｃ（Ｏ）ＣＣｌＦＣＦ３、およびＣＢｒＦ２ＣＦ２Ｃ（Ｏ）ＣＣｌＦＣＦ３からなる群から選択されることを特徴とする前記１に記載の方法。
１５．  可燃材料の入った、空気を含有する密閉された区域中の火災防止方法であって、モノブロモペルフルオロケトン、モノヒドロモノブロモペルフルオロケトン、（ペルフルオロアルコキシ）モノブロモペルフルオロケトン、（フルオロアルコキシ）モノブロモペルフルオロケトン、およびモノクロロモノブロモペルフルオロケトンからなる群から選択される少なくとも１種類の化合物を含む組成物を前記区域に導入する工程と、前記組成物をこの密閉された区域中の可燃材料の燃焼を鎮圧するのに十分な量に保つ工程とを含むことを特徴とする方法。
１６．  前記組成物がモノブロモペルフルオロケトンを含むことを特徴とする前記１５に記載の方法。
１７．  前記組成物がモノヒドロモノブロモペルフルオロケトンを含むことを特徴とする前記１５に記載の方法。
１８．  前記組成物が（ペルフルオロアルコキシ）モノブロモペルフルオロケトンを含むことを特徴とする前記１５に記載の方法。
１９．  前記組成物が（フルオロアルコキシ）モノブロモペルフルオロケトンを含むことを特徴とする前記１５に記載の方法。
２０．  前記組成物がモノクロロモノブロモペルフルオロケトンを含むことを特徴とする前記１５に記載の方法。
２１．  前記組成物が、ヒドロフルオロカーボン、ヒドロクロロフルオロカーボン、ペルフルオロカーボン、ペルフルオロケトン、ペルフルオロポリエーテル、ヒドロフルオロポリエーテル、ヒドロフルオロエーテル、クロロフルオロカーボン、ブロモフルオロカーボン、ブロモクロロフルオロカーボン、ヒドロブロモカーボン、ヨードフルオロカーボン、およびヒドロブロモフルオロカーボンからなる群から選択される少なくとも１種類の共同消火剤をさらに含むことを特徴とする前記１５に記載の方法。
２２．  前記モノブロモペルフルオロケトンが、ＣＦ３Ｃ（Ｏ）ＣＢｒＦＣＦ２ＣＦ３、ＣＦ３Ｃ（Ｏ）ＣＦ２ＣＦ２ＣＢｒＦ２、ＣＢｒＦ２Ｃ（Ｏ）ＣＦ（ＣＦ３）２、ＣＦ３Ｃ（Ｏ）ＣＢｒ（ＣＦ３）２、ＣＢｒＦ２ＣＦ２Ｃ（Ｏ）ＣＦ２ＣＦ３、ＣＦ３ＣＢｒＦＣ（Ｏ）ＣＦ２ＣＦ３、ＣＦ３ＣＢｒＦＣ（Ｏ）ＣＦ２ＣＦ２ＣＦ３、ＣＦ３ＣＦ２Ｃ（Ｏ）ＣＢｒＦＣＦ２ＣＦ３、ＣＦ３ＣＦ２Ｃ（Ｏ）ＣＦ２ＣＦ２ＣＢｒＦ２、ＣＦ３Ｃ（Ｏ）ＣＢｒ（ＣＦ３）ＣＦ２ＣＦ３、ＣＦ３Ｃ（Ｏ）ＣＦ（ＣＦ３）ＣＢｒＦＣＦ３、ＣＦ３Ｃ（Ｏ）ＣＢｒＦＣＦ２ＣＦ２ＣＦ２ＣＦ３、ＣＦ３Ｃ（Ｏ）ＣＦ２ＣＦ２ＣＦ２ＣＦ２ＣＢｒＦ２、ＣＦ３ＣＢｒＦＣ（Ｏ）ＣＦ２ＣＦ２ＣＦ２ＣＦ３、ＣＦ３ＣＦ２Ｃ（Ｏ）ＣＢｒＦＣＦ２ＣＦ２ＣＦ３、ＣＦ３ＣＦ２Ｃ（Ｏ）ＣＦ２ＣＦ２ＣＦ２ＣＢｒＦ２、ＣＦ３ＣＦ２ＣＢｒＦＣ（Ｏ）ＣＦ２ＣＦ２ＣＦ３、ＣＢｒＦ２ＣＦ２Ｃ（Ｏ）ＣＦ（ＣＦ３）ＣＦ２ＣＦ３、ＣＦ３ＣＢｒＦＣ（Ｏ）ＣＦ（ＣＦ３）ＣＦ２ＣＦ３、ＣＦ３ＣＦ２Ｃ（Ｏ）ＣＢｒ（ＣＦ３）ＣＦ２ＣＦ３、ＣＦ３ＣＦ２Ｃ（Ｏ）ＣＦ（ＣＢｒＦ２）ＣＦ２ＣＦ３、ＣＢｒＦ２ＣＦ２ＣＦ２Ｃ（Ｏ）ＣＦ（ＣＦ３）２、ＣＦ３ＣＦ２ＣＢｒＦＣ（Ｏ）ＣＦ（ＣＦ３）２、ＣＦ３ＣＦ２ＣＦ２Ｃ（Ｏ）ＣＢｒ（ＣＦ３）２、（ＣＦ３）２ＣＢｒＣ（Ｏ）ＣＦ（ＣＦ３）２、ＣＦ３ＣＢｒＦＣ（Ｏ）ＣＦ（ＣＦ３）ＯＣＦ３、ＣＦ３ＣＢｒＦＣ（Ｏ）ＣＦ（ＣＦ３）ＯＣ２Ｆ５、およびＣＦ３ＣＢｒＦＣＦ２Ｃ（Ｏ）ＣＦ（ＣＦ３）２からなる群から選択されることを特徴とする前記１６に記載の方法。
２３．  前記モノヒドロモノブロモペルフルオロケトンが、ＣＨＦ２ＣＦ２Ｃ（Ｏ）ＣＢｒ（ＣＦ３）２、（ＣＦ３）２ＣＨＣ（Ｏ）ＣＢｒ（ＣＦ３）２、ＣＨＦ２ＣＦ２Ｃ（Ｏ）ＣＢｒＦＣＦ３、（ＣＦ３）２ＣＨＣ（Ｏ）ＣＢｒＦＣＦ３、（ＣＦ３）２ＣＨＣ（Ｏ）ＣＢｒＦ２、およびＣＢｒＦ２ＣＦ２Ｃ（Ｏ）ＣＨ（ＣＦ３）２からなる群から選択されることを特徴とする前記１７に記載の方法。
２４．  前記（ペルフルオロアルコキシ）モノブロモペルフルオロケトンが式Ｒ１Ｃ（Ｏ）ＣＦ（ＣＦ３）ＯＲＦ（式中、Ｒ１がＣ１〜Ｃ３のモノブロモペルフルオロアルキル基であり、ＲＦがＣ１〜Ｃ３のペルフルオロアルキル基である）を有する化合物から選択されることを特徴とする前記１８に記載の方法。
２５．  前記（ペルフルオロアルコキシ）モノブロモペルフルオロケトンが、ＣＢｒＦ２Ｃ（Ｏ）ＣＦ（ＣＦ３）ＯＣＦ３、ＣＢｒＦ２ＣＦ２Ｃ（Ｏ）ＣＦ（ＣＦ３）ＯＣＦ３、ＣＢｒＦ２ＣＦ２ＣＦ２Ｃ（Ｏ）ＣＦ（ＣＦ３）ＯＣＦ３、ＣＢｒＦ２Ｃ（Ｏ）ＣＦ（ＣＦ３）ＯＣ２Ｆ５、ＣＢｒＦ２ＣＦ２Ｃ（Ｏ）ＣＦ（ＣＦ３）ＯＣ２Ｆ５、ＣＢｒＦ２Ｃ（Ｏ）ＣＦ（ＣＦ３）ＯＣＦ２Ｃ２Ｆ５、ＣＢｒＦ２ＣＦ２Ｃ（Ｏ）ＣＦ（ＣＦ３）ＯＣＦ２Ｃ２Ｆ５、ＣＢｒＦ２Ｃ（Ｏ）ＣＦ（ＣＦ３）ＯＣＦ（ＣＦ３）２、ＣＢｒＦ２ＣＦ２Ｃ（Ｏ）ＣＦ（ＣＦ３）ＯＣＦ（ＣＦ３）２、ＣＦ３ＣＢｒＦＣ（Ｏ）ＣＦ（ＣＦ３）ＯＣＦ（ＣＦ３）２、ＣＦ３ＣＢｒＦＣ（Ｏ）ＣＦ（ＣＦ３）ＯＣＦ３、（ＣＦ３）２ＣＢｒＣ（Ｏ）ＣＦ（ＣＦ３）ＯＣＦ３、ＣＦ３ＣＢｒＦＣ（Ｏ）ＣＦ（ＣＦ３）ＯＣ２Ｆ５、（ＣＦ３）２ＣＢｒＣ（Ｏ）ＣＦ（ＣＦ３）ＯＣ２Ｆ５、ＣＦ３ＣＢｒＦＣ（Ｏ）ＣＦ（ＣＦ３）ＯＣＦ２Ｃ２Ｆ５、およびＣＦ３ＣＢｒＦＣ（Ｏ）ＣＦ（ＣＦ３）ＯＣＦ（ＣＦ３）２からなる群から選択されることを特徴とする前記２４に記載の方法。
２６．  前記（フルオロアルコキシ）モノブロモペルフルオロケトンが式Ｒ１Ｃ（Ｏ）ＣＸ（ＣＦ３）ＯＲ２（式中、ＸがＨまたはＦであり、Ｒ１がＣ１、Ｃ２、またはＣ３ブロモペルフルオロアルキル基であり、Ｒ２がＣ１〜Ｃ３のアルキルまたはフルオロアルキル基である）を有する化合物から選択されることを特徴とする前記１９に記載の方法。
２７．  前記（フルオロアルコキシ）モノブロモペルフルオロケトンが、ＣＢｒＦ２Ｃ（Ｏ）ＣＦ（ＯＣＦ２ＣＨＦ２）ＣＦ３、ＣＢｒＦ２Ｃ（Ｏ）ＣＨ（ＯＣＦ２ＣＨＦ２）ＣＦ３、ＣＢｒＦ２Ｃ（Ｏ）ＣＦ（ＯＣＨ３）ＣＦ３、およびＣＢｒＦ２Ｃ（Ｏ）ＣＦ（ＣＦ２ＯＣＨ３）ＣＦ３からなる群から選択されることを特徴とする前記２６に記載の方法。
２８．  前記モノクロロモノブロモペルフルオロケトンが、ＣＣｌＦ２ＣＦＢｒＣ（Ｏ）ＣＦ２ＣＦ３、ＣＢｒＦ２ＣＦＣｌＣ（Ｏ）ＣＦ２ＣＦ３、ＣＣｌＦ２ＣＦＢｒＣ（Ｏ）ＣＦ（ＣＦ３）２、ＣＢｒＦ２ＣＦＣｌＣ（Ｏ）ＣＦ（ＣＦ３）２、ＣＣｌＦ２ＣＦＢｒＣ（Ｏ）ＣＦ（ＣＦ３）（Ｃ２Ｆ５）、ＣＢｒＦ２ＣＦＣｌＣ（Ｏ）ＣＦ（ＣＦ３）（Ｃ２Ｆ５）、ＣＣｌＦ２Ｃ（Ｏ）ＣＢｒ（ＣＦ３）２、ＣＣｌＦ２ＣＦ２Ｃ（Ｏ）ＣＢｒ（ＣＦ３）２、ＣＦ３ＣＣｌＦＣ（Ｏ）ＣＢｒ（ＣＦ３）２、ＣＣｌＦ２Ｃ（Ｏ）ＣＢｒＦＣＦ３、ＣＣｌＦ２ＣＦ２Ｃ（Ｏ）ＣＢｒＦＣＦ３、ＣＦ３ＣＣｌＦＣ（Ｏ）ＣＢｒＦＣＦ３、ＣＢｒＦ２Ｃ（Ｏ）ＣＣｌ（ＣＦ３）２、ＣＢｒＦ２ＣＦ２Ｃ（Ｏ）ＣＣｌ（ＣＦ３）２、ＣＢｒＦ２Ｃ（Ｏ）ＣＣｌＦＣＦ３、およびＣＢｒＦ２ＣＦ２Ｃ（Ｏ）ＣＣｌＦＣＦ３からなる群から選択されることを特徴とする前記２７に記載の方法。
２９．  可燃性動作流体の引火性を低減または排除する方法であって、
ａ）モノブロモペルフルオロケトン、モノヒドロモノブロモペルフルオロケトン、（ペルフルオロアルコキシ）モノブロモペルフルオロケトン、（フルオロアルコキシ）モノブロモペルフルオロケトン、およびモノクロロモノブロモペルフルオロケトンからなる群から選択される少なくとも１種類の化合物を含む添加剤を提供する工程、および
ｂ）約０．１から約９９重量％の間の前記添加剤を前記可燃性動作流体と混合する工程を含むことを特徴とする方法。
３０．  前記添加剤がモノブロモペルフルオロケトンを含むことを特徴とする前記２９に記載の方法。
３１．  前記添加剤がモノヒドロモノブロモペルフルオロケトンを含むことを特徴とする前記２９に記載の方法。
３２．  前記添加剤が（ペルフルオロアルコキシ）モノブロモペルフルオロケトンを含むことを特徴とする前記２９に記載の方法。
３３．  前記添加剤が（フルオロアルコキシ）モノブロモペルフルオロケトンを含むことを特徴とする前記２９に記載の方法。
３４．  前記添加剤がモノクロロモノブロモペルフルオロケトンを含むことを特徴とする前記２９に記載の方法。
３５．  前記モノブロモペルフルオロケトンが、ＣＦ３Ｃ（Ｏ）ＣＢｒＦＣＦ２ＣＦ３、ＣＦ３Ｃ（Ｏ）ＣＦ２ＣＦ２ＣＢｒＦ２、ＣＢｒＦ２Ｃ（Ｏ）ＣＦ（ＣＦ３）２、ＣＦ３Ｃ（Ｏ）ＣＢｒ（ＣＦ３）２、ＣＢｒＦ２ＣＦ２Ｃ（Ｏ）ＣＦ２ＣＦ３、ＣＦ３ＣＢｒＦＣ（Ｏ）ＣＦ２ＣＦ３、ＣＦ３ＣＢｒＦＣ（Ｏ）ＣＦ２ＣＦ２ＣＦ３、ＣＦ３ＣＦ２Ｃ（Ｏ）ＣＢｒＦＣＦ２ＣＦ３、ＣＦ３ＣＦ２Ｃ（Ｏ）ＣＦ２ＣＦ２ＣＢｒＦ２、ＣＦ３Ｃ（Ｏ）ＣＢｒ（ＣＦ３）ＣＦ２ＣＦ３、ＣＦ３Ｃ（Ｏ）ＣＦ（ＣＦ３）ＣＢｒＦＣＦ３、ＣＦ３Ｃ（Ｏ）ＣＢｒＦＣＦ２ＣＦ２ＣＦ２ＣＦ３、ＣＦ３Ｃ（Ｏ）ＣＦ２ＣＦ２ＣＦ２ＣＦ２ＣＢｒＦ２、ＣＦ３ＣＢｒＦＣ（Ｏ）ＣＦ２ＣＦ２ＣＦ２ＣＦ３、ＣＦ３ＣＦ２Ｃ（Ｏ）ＣＢｒＦＣＦ２ＣＦ２ＣＦ３、ＣＦ３ＣＦ２Ｃ（Ｏ）ＣＦ２ＣＦ２ＣＦ２ＣＢｒＦ２、ＣＦ３ＣＦ２ＣＢｒＦＣ（Ｏ）ＣＦ２ＣＦ２ＣＦ３、ＣＢｒＦ２ＣＦ２Ｃ（Ｏ）ＣＦ（ＣＦ３）ＣＦ２ＣＦ３、ＣＦ３ＣＢｒＦＣ（Ｏ）ＣＦ（ＣＦ３）ＣＦ２ＣＦ３、ＣＦ３ＣＦ２Ｃ（Ｏ）ＣＢｒ（ＣＦ３）ＣＦ２ＣＦ３、ＣＦ３ＣＦ２Ｃ（Ｏ）ＣＦ（ＣＢｒＦ２）ＣＦ２ＣＦ３、ＣＢｒＦ２ＣＦ２ＣＦ２Ｃ（Ｏ）ＣＦ（ＣＦ３）２、ＣＦ３ＣＦ２ＣＢｒＦＣ（Ｏ）ＣＦ（ＣＦ３）２、ＣＦ３ＣＦ２ＣＦ２Ｃ（Ｏ）ＣＢｒ（ＣＦ３）２、（ＣＦ３）２ＣＢｒＣ（Ｏ）ＣＦ（ＣＦ３）２、ＣＦ３ＣＢｒＦＣ（Ｏ）ＣＦ（ＣＦ３）ＯＣＦ３、ＣＦ３ＣＢｒＦＣ（Ｏ）ＣＦ（ＣＦ３）ＯＣ２Ｆ５、およびＣＦ３ＣＢｒＦＣＦ２Ｃ（Ｏ）ＣＦ（ＣＦ３）２からなる群から選択されることを特徴とする前記３０に記載の方法。
３６．  前記モノヒドロモノブロモペルフルオロケトンが、ＣＨＦ２ＣＦ２Ｃ（Ｏ）ＣＢｒ（ＣＦ３）２、（ＣＦ３）２ＣＨＣ（Ｏ）ＣＢｒ（ＣＦ３）２、ＣＨＦ２ＣＦ２Ｃ（Ｏ）ＣＢｒＦＣＦ３、（ＣＦ３）２ＣＨＣ（Ｏ）ＣＢｒＦＣＦ３、（ＣＦ３）２ＣＨＣ（Ｏ）ＣＢｒＦ２、およびＣＢｒＦ２ＣＦ２Ｃ（Ｏ）ＣＨ（ＣＦ３）２からなる群から選択されることを特徴とする前記３１に記載の方法。
３７．  前記（ペルフルオロアルコキシ）モノブロモペルフルオロケトンが式Ｒ１Ｃ（Ｏ）ＣＦ（ＣＦ３）ＯＲＦ（式中、Ｒ１がＣ１〜Ｃ３のモノブロモペルフルオロアルキル基であり、ＲＦがＣ１〜Ｃ３のペルフルオロアルキル基である）を有する化合物から選択されることを特徴とする前記３２に記載の方法。
３８．  前記（ペルフルオロアルコキシ）モノブロモペルフルオロケトンが、ＣＢｒＦ２Ｃ（Ｏ）ＣＦ（ＣＦ３）ＯＣＦ３、ＣＢｒＦ２ＣＦ２Ｃ（Ｏ）ＣＦ（ＣＦ３）ＯＣＦ３、ＣＢｒＦ２ＣＦ２ＣＦ２Ｃ（Ｏ）ＣＦ（ＣＦ３）ＯＣＦ３、ＣＢｒＦ２Ｃ（Ｏ）ＣＦ（ＣＦ３）ＯＣ２Ｆ５、ＣＢｒＦ２ＣＦ２Ｃ（Ｏ）ＣＦ（ＣＦ３）ＯＣ２Ｆ５、ＣＢｒＦ２Ｃ（Ｏ）ＣＦ（ＣＦ３）ＯＣＦ２Ｃ２Ｆ５、ＣＢｒＦ２ＣＦ２Ｃ（Ｏ）ＣＦ（ＣＦ３）ＯＣＦ２Ｃ２Ｆ５、ＣＢｒＦ２Ｃ（Ｏ）ＣＦ（ＣＦ３）ＯＣＦ（ＣＦ３）２、ＣＢｒＦ２ＣＦ２Ｃ（Ｏ）ＣＦ（ＣＦ３）ＯＣＦ（ＣＦ３）２、ＣＦ３ＣＢｒＦＣ（Ｏ）ＣＦ（ＣＦ３）ＯＣＦ（ＣＦ３）２、ＣＦ３ＣＢｒＦＣ（Ｏ）ＣＦ（ＣＦ３）ＯＣＦ３、（ＣＦ３）２ＣＢｒＣ（Ｏ）ＣＦ（ＣＦ３）ＯＣＦ３、ＣＦ３ＣＢｒＦＣ（Ｏ）ＣＦ（ＣＦ３）ＯＣ２Ｆ５、（ＣＦ３）２ＣＢｒＣ（Ｏ）ＣＦ（ＣＦ３）ＯＣ２Ｆ５、ＣＦ３ＣＢｒＦＣ（Ｏ）ＣＦ（ＣＦ３）ＯＣＦ２Ｃ２Ｆ５、およびＣＦ３ＣＢｒＦＣ（Ｏ）ＣＦ（ＣＦ３）ＯＣＦ（ＣＦ３）２からなる群から選択されることを特徴とする前記３７に記載の方法。
３９．  前記（フルオロアルコキシ）モノブロモペルフルオロケトンが式Ｒ１Ｃ（Ｏ）ＣＸ（ＣＦ３）ＯＲ２（式中、ＸがＨまたはＦであり、Ｒ１がＣ１、Ｃ２、またはＣ３ブロモペルフルオロアルキル基であり、Ｒ２がＣ１〜Ｃ３のアルキルまたはフルオロアルキル基である）を有する化合物から選択されることを特徴とする前記３３に記載の方法。
４０．  前記（フルオロアルコキシ）モノブロモペルフルオロケトンが、ＣＢｒＦ２Ｃ（Ｏ）ＣＦ（ＯＣＦ２ＣＨＦ２）ＣＦ３、ＣＢｒＦ２Ｃ（Ｏ）ＣＨ（ＯＣＦ２ＣＨＦ２）ＣＦ３、ＣＢｒＦ２Ｃ（Ｏ）ＣＦ（ＯＣＨ３）ＣＦ３、およびＣＢｒＦ２Ｃ（Ｏ）ＣＦ（ＣＦ２ＯＣＨ３）ＣＦ３からなる群から選択されることを特徴とする前記３９に記載の方法。
４１．  前記モノクロロモノブロモペルフルオロケトンが、ＣＣｌＦ２ＣＦＢｒＣ（Ｏ）ＣＦ２ＣＦ３、ＣＢｒＦ２ＣＦＣｌＣ（Ｏ）ＣＦ２ＣＦ３、ＣＣｌＦ２ＣＦＢｒＣ（Ｏ）ＣＦ（ＣＦ３）２、ＣＢｒＦ２ＣＦＣｌＣ（Ｏ）ＣＦ（ＣＦ３）２、ＣＣｌＦ２ＣＦＢｒＣ（Ｏ）ＣＦ（ＣＦ３）（Ｃ２Ｆ５）、ＣＢｒＦ２ＣＦＣｌＣ（Ｏ）ＣＦ（ＣＦ３）（Ｃ２Ｆ５）、ＣＣｌＦ２Ｃ（Ｏ）ＣＢｒ（ＣＦ３）２、ＣＣｌＦ２ＣＦ２Ｃ（Ｏ）ＣＢｒ（ＣＦ３）２、ＣＦ３ＣＣｌＦＣ（Ｏ）ＣＢｒ（ＣＦ３）２、ＣＣｌＦ２Ｃ（Ｏ）ＣＢｒＦＣＦ３、ＣＣｌＦ２ＣＦ２Ｃ（Ｏ）ＣＢｒＦＣＦ３、ＣＦ３ＣＣｌＦＣ（Ｏ）ＣＢｒＦＣＦ３、ＣＢｒＦ２Ｃ（Ｏ）ＣＣｌ（ＣＦ３）２、ＣＢｒＦ２ＣＦ２Ｃ（Ｏ）ＣＣｌ（ＣＦ３）２、ＣＢｒＦ２Ｃ（Ｏ）ＣＣｌＦＣＦ３、およびＣＢｒＦ２ＣＦ２Ｃ（Ｏ）ＣＣｌＦＣＦ３からなる群から選択されることを特徴とする前記３４に記載の方法。